(57)【要約】【課題】剥離強度を考慮する必要無く且つ容易に、印刷あるいは塗装などにより彩色処理することが可能であり且つ簡単な構成で２色以上の多色化を実現するボタン構造を提供することである。【解決手段】ボタンバック部材３と、ボタンバック部材３に載置した透明あるいは半透明のプラスチック部材５とを含む多色ボタンが提供され、プラスチック部材５の下表面１５には彩色処理が施される。【選択図】　　　図１
2004065849.tif 000002
【特許請求の範囲】
【請求項１】
支柱部を有し、該支柱部の上端に周囲縁部を延出し且つ上面を設けたプラスチック材料製あるいはダイカスト材料製のボタンバック部材と、
該ボタンバック部材上に配置され、彩色可能な下表面と、平坦あるいはその他形状の上表面とを有する透明あるいは半透明のプラスチック部材と、
前記ボタンバック部材とプラスチック部材とを、該プラスチック部材の上表面を露出させた状態で相互に固定するリング状部材と、
から成り、
前記ボタンバック部材の上面と前記プラスチック部材の上表面とが相互に同じ表面形態を有し、
前記プラスチック部材の下表面を、該プラスチック部材の上表面側からボタンバック部材の上面が部分的に透けて見える状態で彩色処理した多色ボタン。
【請求項２】
ボタンバック部材の上面及びプラスチック部材の下表面の一方あるいは両方が平坦面である請求項１の多色ボタン。
【請求項３】
プラスチック部材の下表面を、印刷、塗装、ボタンバック部材の上面とプラスチック部材の下表面との間に薄い印刷物を挟持させること、の何れかあるいは組み合わせにより彩色処理した請求項１あるいは２の多色ボタン。
【請求項４】
ボタンバック部材の上面を印刷あるいは塗装により彩色処理した請求項１〜３の何れかの多色ボタン。
【請求項５】
リング状部材が金属あるいはプラスチック材料製である請求項１〜４の何れかの多色ボタン。
【請求項６】
支柱部の外側を、該支柱部上端の周囲縁部までを包囲するようにした金属材料製の外周部材を更に含み、リング状部材が該外周部材とプラスチック部材とを相互に固定するようにした請求項１〜５の何れかの多色ボタン。
【請求項７】
ボタンバック部材を支柱部の無い金属材料製のプレート状部材とし、外周部材が支柱部を構成するようにした請求項６の多色ボタン。
【請求項８】
ボタンバック部材が、上面を有する金属あるいはプラスチック材料製のアイレットキャップ部材あるいはプロングキャップ部材である請求項１〜６の何れかの多色ボタン。
【発明の詳細な説明】
【０００１】
【発明の属する技術分野】
本発明はボタン部材に関し、詳しくは２色以上の色数を有する多色ボタンに関する。
【０００２】
【従来の技術】
衣服等に使用するボタン部材には、衣服部分を相互に止着するという本来の機能に加え、その独特の意匠や形態によってそうした衣服を装飾するあるいは性格付けする重要な機能が有る。
この装飾機能は、ボタン部材そのものの形状のみならず、使用する各構成部材の材質や配色を多様化することによって一層高めることができる。
【０００３】
しかしながら、ボタン部材の表側部品の表面は、そうした独特の意匠や形態を与えるためのデザイン上、一般に曲面あるいは立体的に形成されることが多く、多様な模様等を印刷したり貼り付けるのが困難である。
従って、同じ表側部品の色や模様を多様化しようとする場合、部品の表面に夫々異なる模様を、例えば凹凸に立体加工する、あるいは模様部品を象眼する、表側部品そのものを夫々色の異なるプラスチック材料を使用して材料製造する、若しくはそれらを組み合わせるといった方法が採られることになる。
【０００４】
この方法によれば表側部品に加工模様及び材料色に関する多様性を持たせることができるが、表側部品を模様や色別に作り分ける必要があって材料製造効率及びコストからみて共に問題が多く、模様を凹凸加工する場合では模様自体が材料色と紛れて目立ちにくく、多様化あるいは差別化するためには別に彩色工程が必要となる。
【０００５】
また、一般に、ボタンの表側部品の表面を印刷あるいは塗装等によって彩色しようとする場合、表側部品の材質を問わず、印刷あるいは塗装面の剥離強度を向上させるための下地処理を施し、美観上、この下地処理を施した部分に印刷あるいは塗装をするが、例えば、表面をメッキ処理した、従ってそうした下地処理を施すのが難しい表側部品では２色配置は困難である。
【０００６】
表側部品の上表面を凹凸形状としてこれをメッキしたものでは、この上表面全体を塗装し、凸部の塗装を研磨材などを使用して剥がし、剥がした部分にメッキ色を露出させる方法を用いれば、凹部の塗装色と凸部のメッキ色とによる２色配置を得ることができるが、この方法では作業工程が多くなることに加え、凸部を剥がして均一な色調を出すのが困難且つ微妙であるために、結局、作業効率が低下する。
【０００７】
従来、上述した例のように表側部品の表面を彩色処理しないで表側部品を多様化する１例として、例えば図５に示すように、金属材料製のアイレットキャップ部材１０を透明なプラスチック材料製の表側部品１２で覆ったボタン部材がある。この構成によれば、透明な表側部品１２を通してアイレットキャップ部材１０の金属色を表側から透かして見ることができるので、表側部品はその透明色とアイレットキャップ部材の金属色とにより実質上２色化される。
【０００８】
この構成上、表側部品１２とアイレットキャップ部材１０との間部分に更に色を追加すればもっと多色化することができそうであるが、各部品は表側に面した各表面が何れも曲面構成とされることや、表側部品１２にアイレットキャップ部材１０を挿入するための立ち上り部１４が設けられていることが障害となって、模様や印刷による彩色処理が難しく、若しくは特殊な装置が必要となり、結局、印刷等を使用してこれ以上に多色化するのはコスト的に難しい。
【０００９】
更には、アイレットキャップ部材１０の裏側に配置されるアイレット部材１６によって、このアイレットキャップ部材１０の表面を上に向けた状態で整列配置するためには特殊な装置が必要となるばかりか、仮にそうした特殊な装置を使用して整列配置した場合でも、前述の通りアイレットキャップ部材１０の表面は曲面構成とされることから、アイレットキャップ部材１０の表面に２色配置を実施するに先立って必要とされるマスキング処理自体も困難なものとなる。
【００１０】
【発明が解決しようとする課題】
剥離強度を考慮する必要無く且つ容易に、印刷あるいは塗装などにより彩色処理することが可能であり且つ簡単な構成で２色以上の多色化を実現するボタン構造を提供することである。
【００１１】
【課題を解決するための手段】
本発明の１実施例によれば、支柱部を有し、この支柱部の上端に周囲縁部を延出し且つ上面を設けたプラスチック材料製あるいはダイカスト材料製のボタンバック部材と、
ボタンバック部材上に配置され、彩色可能な下表面と、平坦あるいはその他形状の上表面とを有する透明あるいは半透明のプラスチック部材と、
前記ボタンバック部材とプラスチック部材とを、該プラスチック部材の上表面を露出させた状態で相互に固定するリング状部材と、
から成り、
前記ボタンバック部材の上面と前記プラスチック部材の上表面とが相互に同じ表面形態を有し、
前記プラスチック部材の下表面を、該プラスチック部材の上表面側からボタンバック部材の上面が部分的に透けて見える状態で彩色処理した多色ボタンが提供される。
【００１２】
本発明の他の実施例では、ボタンバック部材の上面及びプラスチック部材の下表面の一方あるいは両方が平坦面とされる。
また、プラスチック部材の下表面は、印刷、塗装、ボタンバック部材の上面とプラスチック部材の下表面との間に薄い印刷物を挟持させること、の何れかの方法あるいはそれらを組み合わせて使用して彩色処理することが可能であり、更に他の実施例ではボタンバック部材の上面を印刷あるいは塗装して彩色処理することもできる。また、リング状部材は、金属あるいはプラスチック材料製とすることができる。
【００１３】
また別の実施例のものは、ボタンバック部材の支柱部の外側を、この支柱部上端の周囲縁部の周囲まで金属材料製の外周部材で包囲し、リング状部材がこの外周部材とプラスチック部材とを相互に固定する構成とされる。
更に他の実施例ではボタンバック部材が支柱部の無い金属材料製のプレート状部材とされ、外周部材が支柱部を構成するようなものとされる。
【００１４】
更に他の実施例ではボタンバック部材が、上面を有する金属あるいはプラスチック材料製のアイレットキャップ部材あるいはプロングキャップ部材とされる。
【００１５】
【発明の実施の形態】
図１〜図４を参照して本発明を詳しく説明する。
図１には第１実施例としての、本発明の代表的な構成を有する多色ボタン１が例示される。
多色ボタン１は、本実施例ではプラスチック材料製としたボタンバック部材３と、このボタンバック部材３に載置した、透明あるいは半透明のプラスチック部材５と、これらのボタンバック部材３及びプラスチック部材５をその周囲部分に沿って固定する、図示された実施例では金属材料製のリング状部材７と、から成っている。リング状部材７はプラスチック材料製のものとすることもできる。
【００１６】
ボタンバック部材３は、デザイン上あるいはその他の必要に応じて円筒状あるいは角柱状、若しくはその他の断面形状とした支柱部９と、この支柱部９の上端の周囲部分から半径方向外側に向けて延出した周囲縁部１１とを含み、上端部には上面１３が形成される。この上面１３は、以下に説明するプラスチック部材５の下表面と相互に同じ表面形態を有し、図示される実施例では平坦面とされている。
このボタンバック部材はプラスチック材料の他、プラスチックと同じ形状を製造することのできるダイカスト材料製のものとすることもできる。
【００１７】
ボタンバック部材３に載置されるプラスチック部材５は、ボタンバック部材３の上面１３と相互に同じ表面形態を有する下表面１５を有し、この下表面１５は図示される実施例ではボタンバック部材３の上面１３と同様に平坦面とされている。
プラスチック部材５の上表面１７は凸面とされているが、この上表面１７は、デザイン上、凸面とする他に平坦面、凹面あるいはそれらを組み合わせた表面形状とされる場合もあるが、レンズによる拡大効果が得られる点で凸面とするのが有益である。
【００１８】
リング状部材７は、前記ボタンバック部材３にプラスチック部材５を載置した状態で、これらのボタンバック部材３及びプラスチック部材５をその各周囲部分位置で相互に固定する。そしてこの固定に際し、プラスチック部材５の上面１５を、そのデザイン性及び固定強度を共に満足する所定の範囲で露出させるような幅及び厚さ寸法を有する。
【００１９】
本発明の最大の特徴は、上記構成のボタン部材において、ボタンバック部材３の上面１３に載置されるプラスチック部材５の、上表面１７にではなく下表面１５に彩色処理を施すようにしたことで、そうして施した彩色部分が保護されるようになり、従って、剥離強度を考慮する必要性が排除され且つ突起などによる障害を受けることなく、印刷あるいは塗装等を使用してこの下表面１５を容易に彩色処理することができることにある。
【００２０】
この彩色処理に際しては、透明あるいは半透明のプラスチック部材５の下表面１５は一部分を残すようにして彩色され、プラスチック部材５の上表面１７の側から、この彩色されなかった部分を通してボタンバック部材３そのものの色が透けて見えるようにする。
【００２１】
かくして、本発明のボタン部材は、上述の如くプラスチック部材５の下表面１５に彩色された色と、この透明あるいは半透明のプラスチック部材５の下表面１５の彩色されなかった部分を透かして見えるボタンバック部材３の色とによる２色と、リング部材７そのものの色とを合わせて最低でも３色化され、従来、上述したようなコスト上あるいは構成上の問題などで実現することのできなかった２色以上の多色化が容易に達成される。
【００２２】
更に一層の多色化及び差別化を図る場合には下表面１５を色分け及び模様化することもできる。
別法として、図示されない別の実施例では、透明あるいは半透明のプラスチック部材５の下表面１５に直接彩色あるいは塗装するのではなく、この下表面１５とボタンバック部材３の上面１３との間にシート状の印刷物を挟み込むようにすることもできる。この場合、更に、プラスチック部材５の下表面１５に部分的に彩色あるいは模様付けすれば、印刷物の印刷模様と組み合わせての一層多様な且つ複雑な多色化を図ることができる。
【００２３】
図２には本発明の第２実施例の多色ボタン１００が例示される。
本実施例では多色ボタン１００は多色ボタン１と同様に、プラスチック材料製のボタンバック部材１０３と、このボタンバック部材１０３に載置した、透明あるいは半透明のプラスチック部材１０５と、これらのボタンバック部材１０３及びプラスチック部材１０５をその周囲部分に沿って固定する金属材料製あるいはプラスチック材料製のリング状部材１０７とを含んでいる。
【００２４】
このボタンバック部材１０３も、多色ボタン１におけると同様に多様な断面形状の支柱部１０９と、この支柱部１０９の上端の周囲部分から半径方向外側に向けて延出させた周囲縁部１１１とを含み、上端には上面１１３が配置される。しかし、周囲縁部１１１は多色ボタン１の周囲縁部１１よりも短く、従って上面１１３はプラスチック部材１０５の下表面１１５よりも面積が小さくなっている。
【００２５】
他方、支柱部１０９の外側は金属材料製の外周部材１２０でカバーされ、支柱部１０９の周囲縁部１１１よりも長く半径方向に延出させた縁部１２１を有しており、リング状部材１０７はこの縁部１２１とプラスチック部材１０５の上表面１１７と係合するようになっている。
【００２６】
図３には本発明の第３実施例での多色ボタン２００が例示される。
多色ボタン２００は前記第２実施例の多色ボタン１００と類似する構成を有し、従って、図３では図１と同じ構成部品は同じ参照番号で示されている。
【００２７】
多色ボタン２００ではボタンバック部材２０３は金属材料製とされ、ボタンバック部材３あるいは１０３におけるような支柱部を持たない、平坦なプレート状に形成される。そして第２実施例で支柱部１０３の外側に付加されていた外周部材１２０と類似する形状の外周部材２２０を有し、この外周部材２２０の中心軸線に沿って、多色ボタン２００の他の構成部品である図示されないタック部品を係入させるための筒状孔２２２が一体形成される。
【００２８】
図４は、第１及び第２の各実施例で用いるボタンバック部材３及び１０３に代替させることのできるアイレットキャップ３０３を示すものである。このアイレットキャップ３０３はボタンバック部材３及び１０３の上面１３及び１１３と同様の平坦な上面３１３を有している。しかしながらこのアイレットキャップ３０３は、上面３１３と同様の平坦な上面を有するのであれば、図５に番号１０で示されるようなアイレットキャップ、あるいは図示されないプロングキャップに代えることもできる。
【００２９】
また、第１及び第２実施例ではボタンバック部材３及び１０３は夫々中心軸線に沿ってタック部品を係入させるためのタック孔１９及び１１９を夫々有しているが、これらのタック孔は、使用するタック部材の足長よりも長いのであれば、図示されるように各支柱部を長手方向に貫通させる必要はない。
また、製造上、ボタンバック部材を貫通させる場合でも、このボタンバック部材に載置するプラスチック部材の下表面が彩色処理されることにより、プラスチック部材の表側から見えることは無い。
そして、ボタンバック部材がプラスチック材料製のものである場合は、タック部品を係入させるために要する取り付け力も小さくて済むことから、この取り付け操作に際してプラスチック部材に加わる力も小さく、かくしてプラスチック部材が破壊される恐れもない。
【００３０】
以上、本発明を実施例を参照して説明したが、本発明の内で種々の変更をなし得ることを理解されたい。
【００３１】
【発明の効果】
ボタンバック部材３の上面１３に載置されるプラスチック部材５の、上表面１７にではなく下表面１５に彩色処理を施すようにしたことで、そうして施した彩色部分が保護されるようになり、従って、剥離強度を考慮する必要性が排除され且つ突起などによる障害を受けることなく、印刷あるいは塗装等を使用してこの下表面１５を容易に彩色処理することができるようになり、簡単な構成で２色以上の多色化を実現するボタン構造が提供される。
【図面の簡単な説明】
【図１】本発明の第１実施例での多色ボタンの断面図である。
【図２】本発明の第２実施例での多色ボタンの断面図である。
【図３】本発明の第３実施例での多色ボタンの断面図である。
【図４】本発明の第１及び第２実施例で使用することのできるアイレットキャップの断面図である。
【図５】透明な表側部材を使用する従来のボタンの断面図である。
【符号の説明】
１、１００、２００　多色ボタン
３、１０３、１１３、２０３　ボタンバック部材
５、１０５、２０５　プラスチック部材
７、１０７　リング状部材
９、１０９、１１９　支柱部
１１、１１１　周囲縁部
１３、１１３、３１３　上面
１５、１１５　下表面
１７、１１７　上表面
１２０　外周部材
１２１　縁部
３０３　アイレットキャップ
【図１】
2004065849.tif 000003
【図２】
2004065849.tif 000004
【図３】
2004065849.tif 000005
【図４】
2004065849.tif 000006
【図５】
2004065849.tif 000007